(57)【要約】      （修正有）【課題】メディアに記録されたコンテンツが再生可能な構成を有するか否かを判別することのできるコンテンツ記録メディアの判別方法、電子機器、およびプログラムを提供する。【解決手段】ＨＤ ＤＶＤコンテンツを記録したメディアのルートディレクトリにＨＤ ＤＶＤスタンダードコンテンツに含まれるＨＶ０００Ｉ００．ＩＦＯファイルが存在するか否かを確認し、存在するときはファイル内のＶＭＧ＿ＩＤの情報を確認することで、「ＨＤＤＶＤ＿ＶＭＧ１００」の記述のあるメディアをＨＤ ＤＶＤ対応のＤＩＳＣドライブ１０で再生可能なメディアと判別できる。ＨＶ０００Ｉ００．ＩＦＯファイルの存在を特定し、更にＶＭＧ＿ＩＤの情報を確認することで、ＨＤ ＤＶＤとして再生不可のメディアを速やかに判別できる。また、ＨＤ ＤＶＤでもアドバンスドコンテンツについては再生不可と判別することで、ＤＩＳＣドライブ１０の誤作動を防ぐこともできる。【選択図】図１
2007164946.tif 000002
【特許請求の範囲】
【請求項１】
ＨＤ ＤＶＤメディアに記録されたＨＤ ＤＶＤコンテンツの階層構造を判別する第１のステップと、
前記ＨＤ ＤＶＤメディア内の階層構造におけるルートディレクトリにＨＤ ＤＶＤを特定するフォルダが存在するか否かを判断する第２のステップと、
前記フォルダの中にＨＤ ＤＶＤコンテンツを特定するファイルが存在するか否かを判別する第３のステップと、
前記ファイルの記述に再生可能な前記ＨＤ ＤＶＤコンテンツを特定する識別情報が存在するか否かを判別する第４のステップとを含むことを特徴とするコンテンツ記録メディアの判別方法。
【請求項２】
ＨＤ ＤＶＤメディアに記録されたＨＤ ＤＶＤコンテンツの階層構造を判別する第１のステップと、
前記ＨＤ ＤＶＤメディア内の階層構造におけるルートディレクトリにＨＤ ＤＶＤを特定するフォルダが存在するか否かを判断する第２のステップと、
前記フォルダの中に再生可能なＨＤ ＤＶＤスタンダードコンテンツを特定するファイルが存在するか否かを判別する第３のステップと、
前記ファイルの記述に再生可能な前記ＨＤ ＤＶＤスタンダードコンテンツを特定する識別情報が存在するか否かを判別する第４のステップとを含むことを特徴とするコンテンツ記録メディアの判別方法。
【請求項３】
ＨＤ ＤＶＤメディアに記録されたＨＤ ＤＶＤコンテンツの階層構造を判別する第１のステップと、
前記ＨＤ ＤＶＤメディア内の階層構造におけるルートディレクトリにＨＤ ＤＶＤを特定するフォルダが存在するか否かを判断する第２のステップと、
前記フォルダの中に再生可能なＨＤ ＤＶＤスタンダードコンテンツを特定するＨＶ０００Ｉ００．ＩＦＯファイルが存在するか否かを判別する第３のステップと、
前記ＨＶ０００Ｉ００．ＩＦＯファイルの記述に再生可能な前記ＨＤ ＤＶＤスタンダードコンテンツを特定するＶＭＧ＿ＩＤの情報として「ＨＤＤＶＤ＿ＶＭＧ１００」が存在するか否かを判別する第４のステップとを含むことを特徴とするコンテンツ記録メディアの判別方法。
【請求項４】
コンテンツの記憶されたディスク状のメディアを再生するＤＩＳＣドライブと、
前記ディスク状メディアに含まれるコンテンツのフォルダ構成、特定のファイル、および前記特定のファイルに記載される識別情報を確認し、ＨＤ ＤＶＤスタンダードコンテンツを記録した再生可能なメディアか否かを判別するＤＩＳＣ判別アプリケーションを格納した記憶部と、
前記ＤＩＳＣ判別アプリケーションに基づいて前記ＨＤ ＤＶＤスタンダードコンテンツを記録するものと判別されたメディアの再生処理を実行させる制御部とを有することを特徴とする電子機器。
【請求項５】
ＨＤ ＤＶＤメディアに記録されたＨＤ ＤＶＤコンテンツの階層構造を判別する第１のステップと、
前記ＨＤ ＤＶＤメディア内の階層構造におけるルートディレクトリにＨＤ ＤＶＤを特定するフォルダが存在するか否かを判断する第２のステップと、
前記フォルダの中に再生可能なＨＤ ＤＶＤスタンダードコンテンツを特定するＨＶ０００Ｉ００．ＩＦＯファイルが存在するか否かを判別する第３のステップと、
前記ＨＶ０００Ｉ００．ＩＦＯファイルの記述に再生可能な前記ＨＤ ＤＶＤスタンダードコンテンツを特定するＶＭＧ＿ＩＤの情報として「ＨＤＤＶＤ＿ＶＭＧ１００」が存在するか否かを判別する第４のステップとをコンピュータを用いて実行するためのプログラム。
【発明の詳細な説明】
【技術分野】
【０００１】
本発明は、コンテンツ記録メディアの判別方法、電子機器、およびプログラムに関し、特に、メディアに記録されたコンテンツが再生可能な構成を有するか否かを判別することのできるコンテンツ記録メディアの判別方法、電子機器、およびプログラムに関する。
【背景技術】
【０００２】
従来のＤＶＤ（Digital Versatile Disk）と互換性を有し、ハイビジョン・デジタルテレビ等と同等の高画質を可能とするＨＤ（High Definition）映像に対応したＨＤ ＤＶＤは、ＤＶＤよりさらに大なる記憶容量を有し、従来のＳＤ（Standard Definition）映像の画素数が７２０×４８０又は７２０×５７６等であるとき、ＨＤ映像では、１９２０×１０８０又は１９２０×１１５２等の画素数をもつものであり、次世代のＤＶＤ規格としてその動向が注目されている。
【０００３】
このＨＤ ＤＶＤの規格に基づくコンテンツ（以下、「ＨＤコンテンツ」という。）を記録したメディアの再生には、波長４０５ｎｍの青紫色レーザーを用いたピックアップが使用されるが、その開口数（０．６５）がＤＶＤ規格と同じであることより高い互換性が得られる。また、ＨＤ ＤＶＤメディアはＤＶＤメディアの設備を流用して生産できることから量産性に優れるという面も有している。
【０００４】
このようなＨＤコンテンツとＳＤコンテンツとが記録されたメディアに対し、適切な再生処理を行うことでＤＶＤプレーヤの誤作動を防止する光ディスク装置が提案されている（例えば、特許文献１参照。）。
【特許文献１】特開２００４−８０１９６号公報
【発明の開示】
【発明が解決しようとする課題】
【０００５】
しかし、特許文献１の光ディスク装置によると、ＨＤコンテンツとＳＤコンテンツとが記録されたメディアが挿入されても再生可能なコンテンツのタイプを選択するものであるため、例えば、再生可能なタイプのコンテンツが選択されたとしても不適切なフォルダやファイル構成であるとコンテンツが再生できないばかりでなく、状況によっては光ディスク装置の誤作動が生じるという問題がある。
【０００６】
従って、本発明の目的は、メディアに記録されたコンテンツが再生可能な構成を有するか否かを判別することのできるコンテンツ記録メディアの判別方法、電子機器、およびプログラムを提供することにある。
【課題を解決するための手段】
【０００７】
本発明は、上記の目的を達成するため、ＨＤ ＤＶＤメディアに記録されたＨＤ ＤＶＤコンテンツの階層構造を判別する第１のステップと、前記ＨＤ ＤＶＤメディア内の階層構造におけるルートディレクトリにＨＤ ＤＶＤを特定するフォルダが存在するか否かを判断する第２のステップと、前記フォルダの中にＨＤ ＤＶＤコンテンツを特定するファイルが存在するか否かを判別する第３のステップと、前記ファイルの記述に再生可能な前記ＨＤ ＤＶＤコンテンツを特定する識別情報が存在するか否かを判別する第４のステップとを含むコンテンツ記録メディアの判別方法を提供する。
【０００８】
また、本発明は、上記の目的を達成するため、ＨＤ ＤＶＤメディアに記録されたＨＤ ＤＶＤコンテンツの階層構造を判別する第１のステップと、前記ＨＤ ＤＶＤメディア内の階層構造におけるルートディレクトリにＨＤ ＤＶＤを特定するフォルダが存在するか否かを判断する第２のステップと、前記フォルダの中に再生可能なＨＤ ＤＶＤスタンダードコンテンツを特定するファイルが存在するか否かを判別する第３のステップと、前記ファイルの記述に再生可能な前記ＨＤ ＤＶＤスタンダードコンテンツを特定する識別情報が存在するか否かを判別する第４のステップとを含むコンテンツ記録メディアの判別方法を提供する。
【０００９】
また、本発明は、上記の目的を達成するため、ＨＤ ＤＶＤメディアに記録されたＨＤ ＤＶＤコンテンツの階層構造を判別する第１のステップと、前記ＨＤ ＤＶＤメディア内の階層構造におけるルートディレクトリにＨＤ ＤＶＤを特定するフォルダが存在するか否かを判断する第２のステップと、前記フォルダの中に再生可能なＨＤ ＤＶＤスタンダードコンテンツを特定するＨＶ０００Ｉ００．ＩＦＯファイルが存在するか否かを判別する第３のステップと、前記ＨＶ０００Ｉ００．ＩＦＯファイルの記述に再生可能な前記ＨＤ ＤＶＤスタンダードコンテンツを特定するＶＭＧ＿ＩＤの情報として「ＨＤＤＶＤ＿ＶＭＧ１００」が存在するか否かを判別する第４のステップとを含むことを特徴とするコンテンツ記録メディアの判別方法を提供する。
【００１０】
また、本発明は、上記の目的を達成するため、コンテンツの記憶されたディスク状のメディアを再生するＤＩＳＣドライブと、前記ディスク状メディアに含まれるコンテンツのフォルダ構成、特定のファイル、および前記特定のファイルに記載される識別情報を確認し、ＨＤ ＤＶＤスタンダードコンテンツを記録した再生可能なメディアか否かを判別するＤＩＳＣ判別アプリケーションを格納した記憶部と、前記ＤＩＳＣ判別アプリケーションに基づいて前記ＨＤ ＤＶＤスタンダードコンテンツを記録するものと判別されたメディアの再生処理を実行させる制御部とを有する電子機器を提供する。
【００１１】
また、本発明は、上記の目的を達成するため、ＨＤ ＤＶＤメディアに記録されたＨＤ ＤＶＤコンテンツの階層構造を判別する第１のステップと、前記ＨＤ ＤＶＤメディア内の階層構造におけるルートディレクトリにＨＤ ＤＶＤを特定するフォルダが存在するか否かを判断する第２のステップと、前記フォルダの中に再生可能なＨＤ ＤＶＤスタンダードコンテンツを特定するＨＶ０００Ｉ００．ＩＦＯファイルが存在するか否かを判別する第３のステップと、前記ＨＶ０００Ｉ００．ＩＦＯファイルの記述に再生可能な前記ＨＤ ＤＶＤスタンダードコンテンツを特定するＶＭＧ＿ＩＤの情報として「ＨＤＤＶＤ＿ＶＭＧ１００」が存在するか否かを判別する第４のステップとをコンピュータを用いて実行するためのプログラムを提供する。
【発明の効果】
【００１２】
本発明によれば、メディアに記録されたコンテンツが再生可能な構成を有するか否かを判別することができる。
【発明を実施するための最良の形態】
【００１３】
（第１の実施の形態）
図１は、本発明の実施の形態に係る電子機器の主要部を示すブロック図である。
【００１４】
（電子機器１の構成）
この電子機器１は、ＨＤ ＤＶＤメディアを再生可能なＤＩＳＣドライブ１０を有するノート型ＰＣ（パーソナル・コンピュータ）であり、タッチパッドやキーボード等の入力操作部１１と、液晶ディスプレイからなる表示部１２と、表示部１２を駆動する表示制御部１３と、ＨＤＤからなる記憶部１５と、再生信号の映像処理を行う映像処理部１６と、再生信号の音声処理を行う音声処理部１７と、電子機器１の各部を制御する制御部１８とが内部バス１９を介して接続された構成を有する。尚、ＬＡＮ（Local Area Network）等の通信網と接続するためのＩ／Ｆ部１４を備えていても良い。
【００１５】
記憶部１５は、ＤＩＳＣドライブ１０に挿入されたＣＤ、ＤＶＤ、ＨＤ ＤＶＤ等のディスク状メディアのフォルダ構造およびファイルの記述に基づいて挿入されたメディアがどの形式のメディアであるかを判断するＤＩＳＣ判別アプリケーション１５０を格納している。
【００１６】
映像処理部１６は、判別されたメディア（ＨＤ ＤＶＤ、ＤＶＤ、ＣＤ）に応じて映像処理を行う複数の映像処理モジュールを構成する。音声処理部１７についても同様に、判別されたメディアに応じて音声処理を行う複数の音声処理モジュールを構成する。
【００１７】
ＤＩＳＣ判別アプリケーション１５０は、挿入されたメディアのフォルダ名と、フォルダに収容されるファイルのファイル名と、ファイルに記載されているバイナリデータの記述等を参照し、ＨＤ ＤＶＤについてはスタンダードコンテンツ（Ｓｔａｎｄａｒｄ Ｃｏｎｔｅｎｔｓ）を含むメディア、ＤＶＤ、およびＣＤであると判断したときに制御部１８へ再生可能なコンテンツである判別信号を出力する。
【００１８】
図２は、本実施の形態に係る電子機器（ノート型ＰＣ）の斜視図である。この電子機器１は、大別して本体部２０と可動部２１からなり、本体部２０には文字入力部２００と、タッチパッド２０１と、左スイッチ２０２Ａおよび右スイッチ２０２Ｂからなる決定スイッチ２０２と、側面開閉型のＤＩＳＣドライブ１０とを有する。可動部２１には液晶表示部２１０と、可動部２１を本体部２０に開閉自在に支持するヒンジ部２１１とを有する。
【００１９】
図３は、ＨＤ ＤＶＤメディアのデータ構造を示す概略図である。このＨＤ ＤＶＤメディア３０は、ＨＤ ＤＶＤスタンダードコンテンツが記録されたものであり、ルートディレクトリに設けられるＨＶＤＶＤ．ＴＳフォルダ３１に格納されたＨＶ０００Ｉ００．ＩＦＯファイル３１０にバイナリデータとして記載された識別情報としてのＶＭＧ＿ＩＤの情報が「ＨＤＤＶＤ＿ＶＭＧ１００」となっていることによってＨＤ ＤＶＤスタンダードコンテンツを記録したＨＤ ＤＶＤメディアとして認識される。
【００２０】
図４は、ＨＤ ＤＶＤメディアの他のデータ構造を示す概略図である。このＨＤ ＤＶＤメディア３０は、ＨＤ ＤＶＤアドバンスドコンテンツ（Ａｄｖａｎｃｅｄ Ｃｏｎｔｅｎｔｓ）が記録されたものであり、ルートディレクトリに設けられるＡＤＢ．ＯＢＪフォルダ３２にＤｉｓｃＩＤ．ｄａｔファイル３２０が格納されていることによってＨＤ ＤＶＤアドバンスドコンテンツを記録したＨＤ ＤＶＤメディアとして認識される。
【００２１】
本実施の形態では、ＨＤ ＤＶＤアドバンスドコンテンツを記録したＨＤ ＤＶＤメディアとして判別された場合には、再生不可のＨＤ ＤＶＤメディアとしてエラー処理される。エラー処理は、電子機器１の液晶表示部２１０にエラーメッセージを記載したダイアログボックスを表示することにより行う。
【００２２】
図５は、本発明の実施の形態に係るコンテンツ記録メディアの判別方法の処理手順を示すフローチャートである。以下、各図を参照しつつ説明する。
【００２３】
まず、電子機器１のＤＩＳＣドライブ１０にディスク状メディアを装填する（Ｓ１）。制御部１８は、メディアが挿入されたことを検出すると、記憶部１５からＤＩＳＣ判別アプリケーション１５０を読み出して実行する（Ｓ２）。
【００２４】
次に、制御部１８は、メディアのルートディレクトリに設けられるＡＤＢ．ＯＢＪフォルダ３２にＤｉｓｃＩＤ．ｄａｔファイル３２０が格納されているか否かを確認する。ここでＤｉｓｃＩＤ．ｄａｔファイル３２０が存在しないときはルートディレクトリにＨＶＤＶＤ．ＴＳフォルダ３１が存在するか否かを確認する（Ｓ３：ＮＯ）。
【００２５】
一方、ＡＤＢ．ＯＢＪフォルダ３２にＤｉｓｃＩＤ．ｄａｔファイル３２０が格納されている場合には（Ｓ３：ＹＥＳ）、挿入されたメディアがＨＤ ＤＶＤアドバンスドコンテンツを記録したＨＤ ＤＶＤメディアであることから、電子機器１の液晶表示部２１０にエラーメッセージを記載したダイアログボックスを表示することによってエラー処理を行う（Ｓ４）。
【００２６】
次に、ルートディレクトリにＨＶＤＶＤ．ＴＳフォルダ３１が存在するとき（Ｓ５：ＹＥＳ）、制御部１８は、フォルダ内にＨＶ０００Ｉ００．ＩＦＯファイル３１０が存在するか否かを確認する。ＨＶ０００Ｉ００．ＩＦＯファイル３１０が存在する場合（Ｓ６：ＹＥＳ）、ファイルにバイナリデータとして記載されたＶＭＧ＿ＩＤの情報が「ＨＤＤＶＤ＿ＶＭＧ１００」となっているか否かを確認する。ここで、ＶＭＧ＿ＩＤの情報が「ＨＤＤＶＤ＿ＶＭＧ１００」となっているとき（Ｓ７：ＹＥＳ）、映像処理部１６および音声処理部１７はＨＤ ＤＶＤを再生するモジュール構成に切り替えられる（Ｓ８）。
【００２７】
また、ＨＶＤＶＤ．ＴＳフォルダ３１にＨＶ０００Ｉ００．ＩＦＯファイル３１０が存在しない場合（Ｓ６：ＮＯ）、およびＩＦＯファイル３１０が存在するもＶＭＧ＿ＩＤの情報が「ＨＤＤＶＤ＿ＶＭＧ１００」となっていない場合（Ｓ７：ＮＯ）にはエラー処理を行う（Ｓ９）。
【００２８】
一方、ルートディレクトリにＨＶＤＶＤ．ＴＳフォルダ３１が存在しないとき（Ｓ５：ＮＯ）、制御部１８は、ＶＩＤＥＯ．ＴＳフォルダが存在するか否かを確認する。ＶＩＤＥＯ．ＴＳフォルダが存在するとき（Ｓ１０：ＹＥＳ）、挿入されたメディアがＤＶＤ Ｖｉｄｅｏメディアであることから（Ｓ１１）、映像処理部１６および音声処理部１７はＤＶＤを再生するモジュール構成に切り替えられる（Ｓ１２）。
【００２９】
一方、ＨＶＤＶＤ．ＴＳフォルダ３１、ＶＩＤＥＯ．ＴＳフォルダが存在しないとき（Ｓ１０：ＮＯ）、制御部１８は、挿入されたメディアがＣＤその他のメディアであると判断する（Ｓ１３）。映像処理部１６および音声処理部１７はＣＤを再生するモジュール構成に切り替えられる（Ｓ１４）。
【００３０】
（本発明の実施の形態の効果）
上記した実施の形態によると、ＨＤ ＤＶＤコンテンツを記録したメディアのルートディレクトリにＨＤ ＤＶＤスタンダードコンテンツに含まれるＨＶ０００Ｉ００．ＩＦＯファイル３１０が存在するか否かを確認し、存在するときはファイル内の記述であるＶＭＧ＿ＩＤの情報を確認するようにしたので、「ＨＤＤＶＤ＿ＶＭＧ１００」の記述のあるメディアをＨＤ ＤＶＤ対応のＤＩＳＣドライブ１０で再生可能なメディアと判別することができる。まず、ＨＶ０００Ｉ００．ＩＦＯファイル３１０の存在を特定し、更にＶＭＧ＿ＩＤの情報を確認することで、ユーザにデータフォーマットに基づく再生の可否を意識させることなしにＨＤ ＤＶＤとして再生不可のメディアを速やかに判別できるようになる。また、ＨＤ ＤＶＤでもアドバンスドコンテンツについては再生不可と判別することで、ＤＩＳＣドライブ１０の誤作動を防ぐことも可能になる。
【００３１】
なお、上記した実施の形態では、電子機器としてのノート型ＰＣにおけるコンテンツ記録メディアの判別方法について説明したが、電子機器はノート型ＰＣに限定されず、光デスク再生装置や周辺機器として独立した光学ドライブ等であっても良い。
【図面の簡単な説明】
【００３２】
【図１】本発明の実施の形態に係る電子機器の主要部を示すブロック図である。
【図２】本発明の実施の形態に係る電子機器（ノート型ＰＣ）の斜視図である。
【図３】ＨＤ ＤＶＤメディアのデータ構造を示す概略図である。
【図４】ＨＤ ＤＶＤメディアの他のデータ構造を示す概略図である。
【図５】本発明の実施の形態に係るコンテンツ記録メディアの判別方法の処理手順を示すフローチャートである。
【符号の説明】
【００３３】
１…電子機器、１０…ドライブ、１１…入力操作部、１２…表示部、１３…表示制御部、１４…Ｉ／Ｆ部、１５…記憶部、１６…映像処理部、１７…音声処理部、１８…制御部、１９…内部バス、２０…本体部、２１…可動部、３１…ＨＶＤＶＤ．ＴＳフォルダ、３２…ＡＤＢ．ＯＢＪフォルダ、１５０…ＤＩＳＣ判別アプリケーション、２００…文字入力部、２０１…タッチパッド、２０２…決定スイッチ、２０２Ａ…左スイッチ、２０２Ｂ…右スイッチ、２１０…液晶表示部、２１１…ヒンジ部、３１０…ＨＶ０００Ｉ００．ＩＦＯファイル、３２０…ＤｉｓｃＩＤ．ｄａｔファイル
【図１】
2007164946.tif 000003
【図２】
2007164946.tif 000004
【図３】
2007164946.tif 000005
【図４】
2007164946.tif 000006
【図５】
2007164946.tif 000007